(57)【特許請求の範囲】
【請求項１】
ラックに実装され、インナーシャーシが、ユニットの側面内側に敷設されたレールの組み合わせで、前面にスライドして引き出し可能で、前記インナーシャーシを前面に引き出したとき、該インナーシャーシは前記レールの規制から外れ、引き出し動作後は前記インナーシャーシが前面に傾斜した状態で保持されるスライド式スプライスユニットにおいて、前記インナーシャーシに固定されるトレイ金具受けには被接続部を、前記トレイ金具受けに接続されるトレイ金具には接続部とを形成し、前記被接続部には差し込み穴と爪部とを設け、前記接続部には、前記差し込み穴に差し込まれる差し込み部と前記爪部が係止する係止穴とを設け、前記被接続部の爪部が、前記接続部の係止穴に係止させることによって、前記融着トレイが跳ね上げた状態で保持され、前記インナーシャーシに設けられた固定ねじを前記トレイ金具に設けられた固定部に締め付けることで前記トレイ金具を前記インナーシャーシに収納した状態となることを特徴とする前記スライド式スプライスユニット。
【発明の詳細な説明】
【技術分野】
【０００１】
本発明は、ラックに実装され、インナーシャーシが、ユニットの側面内側に敷設されたレールの組み合わせで、前面にスライドして引き出し可能で、インナーシャーシを前面に引き出したとき、インナーシャーシはレールの規制から外れ、引き出し動作後はインナーシャーシが前面に傾斜した状態で保持されるスライド式スプライスユニットに関するものである。
【背景技術】
【０００２】
通信技術の発展に伴い通信機器の種類も増大し、その収納のためのスペースも増えてきているため、機器の小型化、省スペース化が課題となっている。ラックに密集させ収納する場合に、ユニットを構成し、ラックにユニットを取り付けて機器を積み重ねたりする方法が取られている。ユニットは例えば図７に示すように、インナーシャーシ３１に融着トレイ３２を段積みして搭載することがあり、それぞれの融着トレイ上で作業できるように、または、融着トレイ３２の下部を光コードの余長３３の収納スペースとして用いた場合、余長収納作業をするために、融着トレイ３２はヒンジ構造により回動し、開閉可能としていた。そして、図８に示すように、インナーシャーシ３１は、スライド動作により引き出し式とし、配線作業をする際に、ラックの前面に棚板を引き出すことのできる構造のものもある。このスライド式のインナーシャーシ３１は、ラックの前面に完全に引き出したとき、インナーシャーシ３１は前面側に向かって傾斜する形状のものもあった。
【特許文献１】特開２００６−３５０１３３号公報
【発明の開示】
【発明が解決しようとする課題】
【０００３】
しかしながら、上記従来のスライド式スプライスユニットでは、インナーシャーシ３１を引き出したときには、インナーシャーシ３１が前方へ傾斜するため、融着トレイ３２は自重で倒れてしまい、融着トレイ３２を跳ね上げた状態では保持しにくく、手で押さえながらの作業となり作業性が大変悪かった。
【課題を解決するための手段】
【０００４】
そこで本発明は、簡単な構造で作業性のよいスライド式スプライスユニットを提供することを目的とし、その構造は、インナーシャーシに固定されるトレイ金具受けには被接続部を、トレイ金具受けに接続されるトレイ金具には接続部とを形成し、被接続部には差し込み穴と爪部とを設け、接続部には、差し込み穴に差し込まれる差し込み部と爪部が係止する係止穴とを設け、被接続部の爪部が、接続部の係止穴に係止させることによって、融着トレイが跳ね上げた状態で保持され、インナーシャーシに設けられた固定ねじをトレイ金具に設けられた固定部に締め付けることでトレイ金具をインナーシャーシに収納した状態となることを特徴とする。
【発明の効果】
【０００５】
本発明に係るスライド式スプライスユニットは、インナーシャーシに固定されるトレイ金具受けには被接続部を、トレイ金具受けに接続されるトレイ金具には接続部とを形成し、被接続部には差し込み穴と爪部とを設け、接続部には、差し込み穴に差し込まれる差し込み部と爪部が係止する係止穴とを設け、被接続部の爪部が、接続部の係止穴に係止させることによって、融着トレイが跳ね上げた状態で保持され、インナーシャーシに設けられた固定ねじをトレイ金具に設けられた固定部に締め付けることでトレイ金具をインナーシャーシに収納した状態となるため、トレイ金具受けとトレイ金具とを爪部が係止穴に係止することで、インナーシャーシを引き出し前面側に傾斜した状態でも、融着トレイを立てた状態で保持することができ、それぞれの融着トレイ上での作業や、融着トレイ下部に設けた余長収納部での作業がしやすくなる。
【発明を実施するための最良の形態】
【０００６】
本発明に係るスライド式スプライスユニットを図１〜図６の添付図面に基いて説明する。
【０００７】
ラックに実装されたスライド式スプライスユニット１は、ユニットの側面内側に敷設されたレール２の組み合わせで、前面にスライドしてインナーシャーシ３を引き出すことのできる構造である。インナーシャーシ３を前面に引き出したとき、インナーシャーシ３はレールの規制から外れ、前面側に傾斜するようになっている。
【０００８】
本発明に係るインナーシャーシ３の使用例としては、光通信機器を搭載するというものがある。インナーシャーシ３には、トレイ金具受け４がねじ固定される。トレイ金具受け４にトレイ金具５を接続し、トレイ金具５の上面に融着トレイ６を固定する。
【０００９】
トレイ金具受け４には被接続部を、トレイ金具５には接続部を形成する。トレイ金具受け４とトレイ金具５は被接続部と接続部とで接続される。接続部には被接続部を受けるための受け部７を突設し、受け部７の端部は折曲部８を形成すると共に先端には爪部９を形成する。受け部７と折曲部８の二面にわたり差し込み穴１０を形成する。接続部には、トレイ金具受け４の被接続部に対向させ、差し込み部１１を形成し、トレイ金具５の融着トレイ設置面１２と差し込み部１１との隣接部に係止穴１３を設ける。トレイ金具５にはトレイ金具受け４とは反対側には、インナーシャーシ３との固定部１４を設ける。固定部１４には固定ねじ１５が係止可能である切り欠き１６を設ける。インナーシャーシ３側には、切り欠き１６に対向する位置に固定ねじ１５を設けておき、切り欠き１６に固定ねじ１５を挿通し締め付けることで、トレイ金具５をインナーシャーシ３に固定する構造である。
【００１０】
インナーシャーシ３をラック内に収納するときには、トレイ金具５は水平にトレイ金具受け４に取り付ける。差し込み穴１０に差し込み部１１を水平方向にスライドさせて差し込み、固定部１４と固定ねじ１５とを対向させ、固定ねじ１５を締め付けてトレイ金具５を固定する。
【００１１】
さらにラック内の省スペース化を図るために、融着トレイ６の下部を光コード等の余長を収納するスペースとして用いることがある。光コード等を余長収納スペースに収納する場合には、融着トレイ６を立ち上げて、余長収納スペースの上面を開放する。固定されているトレイ金具５を、固定ねじ１５を緩め固定を解除する。トレイ金具５を切り欠き１６が固定ねじ１５から外れる方向へスライド移動させて切り欠き１６を固定ねじ１５から外し、トレイ金具５を、融着トレイ６を搭載したまま持ち上げ、差し込み部１１を差し込み穴１０に垂直方向にスライドさせて差し込みながら、係止穴１３に爪部９を係止させる。
【００１２】
以上のような構造により、作業等の際にインナーシャーシ３を引き出し、インナーシャーシ３が前面側に傾斜した状態であっても、融着トレイ６は跳ね上げた状態のまま保持可能となり、余長収納作業の効率を向上させることができる。また、ねじ止め等の手段も用いず、融着トレイ６は跳ね上げた状態のまま保持可能であり、ねじ締めの手間もない。
【００１３】
トレイ金具のインナーシャーシへの固定構造は、固定ねじによるものに限定されず、ラッチ部材とラッチ金具とを用いたラッチ構造としてもよい。
【図面の簡単な説明】
【００１４】
【図１】スライド式スプライスユニットを示す説明図である。
【図２】スライド式スプライスユニットの実施例を示す説明図である。
【図３】図２におけるスプライスユニットを収納した状態でのトレイ金具とトレイ金具受けを示す説明図である。
【図４】図２におけるスプライスユニットを引き出し、トレイ金具受けを立てた状態を示す説明図である。
【図５】図４におけるトレイ金具に融着トレイを取り付けた状態を示す説明図である。
【図６】スライド式スプライスユニットを引き出したときの融着トレイの状態を示す説明図である。
【図７】従来のスライド式スプライスユニットを示す説明図である。
【図８】図７におけるスライド式スプライスユニットを引き出した状態を示す説明図である。
【符号の説明】
【００１５】
１    スライド式スプライスユニット
２    レール
３    インナーシャーシ
４    トレイ金具受け
５    トレイ金具
６    融着トレイ
７    受け部
８    折曲部
９    爪部
１０  差し込み穴
１１  差し込み部
１２  融着トレイ設置面
１３  係止穴
１４  固定部
１５  固定ねじ
１６  切り欠き
【図１】
0005270970.tif 000002
【図２】
0005270970.tif 000003
【図３】
0005270970.tif 000004
【図４】
0005270970.tif 000005
【図５】
0005270970.tif 000006
【図６】
0005270970.tif 000007
【図７】
0005270970.tif 000008
【図８】
0005270970.tif 000009